(57)【要約】【課題】電子メール形式で画像データの送受信を行うことが可能な技術を提供する。【解決手段】実施形態の通信システムは、携帯通信端末機と、第１の装置とを有する。携帯通信端末機は、近距離無線通信のプロトコルであり、デバイス間で電子メール形式のデータを送受信するプロトコルで、画像データを送信する。第１の装置は、プロトコルで、携帯通信端末機からの画像データを受信し、画像データを表示する。【選択図】図２
2013206207.tif 000002
【特許請求の範囲】
【請求項１】
近距離無線通信のプロトコルであり、デバイス間で電子メール形式のデータを送受信するプロトコルで、画像データを送信する携帯通信端末機と、
前記プロトコルで、前記通信端末機からの前記画像データを受信し、前記画像データを表示する第１の装置と、
を有する通信システム。
【請求項２】
請求項１に記載の通信システムにおいて、
前記画像データには、位置情報が含まれており、
前記第１の装置は、前記画像データに含まれる前記位置情報に基づき、前記画像データが得られた場所に関する情報を表示する通信システム。
【請求項３】
請求項２に記載の通信システムにおいて、
前記第１の装置は、カーナビゲーションシステムであり、前記場所に関する情報を、地図上の位置として表示する通信システム。
【請求項４】
請求項３に記載の通信システムにおいて、
前記カーナビゲーションシステムは、前記位置情報を自己の地図情報データベースに登録し、または、自己の地図情報データベース内の位置情報を、前記位置情報に更新する通信システム。
【請求項５】
請求項３または４に記載の通信システムにおいて、
前記カーナビゲーションシステムは、前記位置情報で示される場所を目的地に設定する通信システム。
【請求項６】
撮像して画像データを生成する撮像部と、
近距離無線通信のプロトコルであり、デバイス間で電子メール形式のデータを送受信するプロトコルで、前記撮像部により生成される画像データを他のデバイスに送信する送信部と、
を有する携帯通信端末機。
【請求項７】
携帯通信端末機が、
近距離無線通信のプロトコルであり、デバイス間で電子メール形式のデータを送受信するプロトコルで、画像データを送信し、
第１の装置が、
前記プロトコルで前記携帯通信端末機からの前記画像データを受信し、前記画像データを表示する
通信方法。
【請求項８】
携帯通信端末機に、
近距離無線通信のプロトコルであり、デバイス間で、電子メール形式のデータを送受信するプロトコルで、画像データを送信し、
第１の装置に、
前記プロトコルで前記携帯通信端末機からの前記画像データを受信させ、
前記画像データを表示させる
ための通信プログラム。
【発明の詳細な説明】
【技術分野】
【０００１】
本発明の実施形態は、デバイス間でメッセージを送受信する技術に関する。
【背景技術】
【０００２】
近距離無線通信の手段として、Ｂｌｕｅｔｏｏｔｈ（登録商標）が用いられ、装置（デバイス）間のデータ送受信の１つの手段として実用化されている。Ｂｌｕｅｔｏｏｔｈには、規格上プロファイルと呼ばれる様々なプロトコルがあり、このプロファイルを用いてデバイス間の無線通信が行われる。
【０００３】
また、配信センタから更新情報を取得して自己の地図情報データベースを更新するカーナビゲーションシステムも知られている。
【先行技術文献】
【特許文献】
【０００４】
【特許文献１】特開２０１１−１４９７２８号公報
【発明の概要】
【発明が解決しようとする課題】
【０００５】
従来のカーナビゲーションシステムに配信される更新情報は、テキストデータのみであるため、情報としては不十分である。
【０００６】
本発明が解決しようとする課題は、電子メール形式で画像データの送受信を行うことが可能な技術を提供することである。
【課題を解決するための手段】
【０００７】
実施形態の通信システムは、携帯通信端末機と、第１の装置とを有する。携帯通信端末機は、近距離無線通信のプロトコルであり、デバイス間で電子メール形式のデータを送受信するプロトコルで、画像データを送信する。第１の装置は、プロトコルで、携帯通信端末機からの画像データを受信し、画像データを表示する。
【０００８】
実施形態の携帯通信端末機は、撮像部と、送信部とを有する。撮像部は、撮像して画像データを生成する。送信部は、近距離無線通信のプロトコルであり、デバイス間で電子メール形式のデータを送受信するプロトコルで、前記撮像部により生成される画像データを他のデバイスに送信する。
【図面の簡単な説明】
【０００９】
【図１】実施形態のカーナビゲーションシステム、携帯通信端末機の外観を示す模式図である。
【図２】実施形態のシステム構成例を示すブロック図である。
【図３】実施形態のカーナビゲーションシステム、通信端末機、データサーバの各内部構成例を示すブロック図である。
【図４】ＭＡＰプロファイルのデータフォーマット例を示す図である。
【図５】ＢＩＰプロファイルのデータフォーマットの構成例を示す図である。
【図６】実施形態の携帯通信端末機の電子メール機能を用いて入力される、本文データの項目例やその内容例を一覧にした図である。
【図７】実施形態のカーナビゲーションシステムがデータ更新を行うまでの処理の一例を示すフローチャートである。
【図８】実施形態のデータサーバのデータ更新処理の一例を示すフローチャートである。
【図９】ＭＡＰプロファイルを用いたデバイス間のデータ送受信の別の態様例を示す図である。
【図１０】実施形態の目的地の設定処理を行うときの項目例および内容例の一覧を示す図である。
【図１１】実施形態の目的地を設定する処理の一例を示すフローチャートである。
【図１２】実施形態のカーナビゲーションシステム内の目的地設定処理の一例を示すフローチャートである。
【図１３】実施形態のＭＡＰプロファイルを用いて送信されるデータ例、およびカーナビゲーションシステムの表示例を示す図である。
【図１４】実施形態の、送信先のデバイスを電子看板とした場合の態様例を示す図である。
【図１５】実施形態の、送信先のデバイスをテレビジョンとした場合の態様例を示す図である。
【発明を実施するための形態】
【００１０】
本実施形態のカーナビゲーションシステム、携帯通信端末機のハードウェア外観を図１に示し、本実施形態の地図情報更新システムの機能ブロック構成例を図２に示す。地図情報更新システム１００は、カーナビゲーションシステム１、携帯通信端末機２、２Ａ、データサーバ３によって構成されている。カーナビゲーションシステム１と携帯通信端末機２とは、短距離無線規格であるＢｌｕｅｔｏｏｔｈを用いてデータ送受信が可能となっており、本実施形態では、特にＭＡＰプロファイル（ＭＡＰ：Message  Access  Profile）やＢＩＰプロファイル（ＢＩＰ：Basic Imaging Profile）が用いられる。また携帯通信端末機２とデータサーバ３との間、および携帯通信端末機２と携帯通信端末機２Ａとの間は、公衆回線を介してデータの送受信が可能となっている。
【００１１】
カーナビゲーションシステム１は、プロセッサ、メモリ、ハードディスクドライブ等の補助記憶装置やタッチパネルディスプレイ、ＧＰＳ情報受信装置、Ｂｌｕｅｔｏｏｔｈの規格に則った通信制御装置の各ハードウェア構成を含む。カーナビゲーションシステム１のハードウェア構成は、従前の構成であってもよい。
【００１２】
携帯通信端末機２は、例えばプロセッサ、メモリ、補助記憶装置、表示装置やキーボード（タッチパネルディスプレイでもよい）、ＧＰＳ情報受信装置等の各ハードウェアを含んでおり、従前の携帯電話機やスマートフォン、タブレット式のコンピュータであってもよい。携帯通信端末機２は、Ｂｌｕｅｔｏｏｔｈの規格に準拠した通信装置を有し、少なくともＭＡＰプロファイルで通信可能なように実装されている。尚、画像送信に関してはＢＩＰプロファイルでもよい。携帯通信端末機２は、Ｂｌｕｅｔｏｏｔｈや公衆回線の通信手段を用いて、更新情報をカーナビゲーションシステム１やデータサーバ３に送信する。カーナビゲーションシステム１やデータサーバ３は、受信した更新情報を自己の地図情報データベースに登録する。携帯通信端末機２は、他者により登録された更新情報を、公衆回線を介してデータサーバ３から受信し、Ｂｌｕｅｔｏｏｔｈを介してカーナビゲーションシステム１に送信する。また携帯通信端末機２は、携帯通信端末機２Ａから送信される、更新情報の項目や画像が添付された電子メールを受信し、カーナビゲーションシステム１に送信する。本実施形態では、更新情報は電子メール形式のテキストデータであり、メール本文は、予め定義された書式に則った記述となっている。更新情報の詳細については後述する。
【００１３】
図３は、図２に示す各装置内の機能ブロックの一例を示す図である。カーナビゲーションシステム１は、送受信部１１、解析部１２、表示部１３、検索部１４、地図情報データベース１５を有する。送受信部１１は、Ｂｌｕｅｔｏｏｔｈの規格に則った通信制御装置を含み、ＭＡＰプロファイル、ＢＩＰプロファイルの送受信機能が実装されている。送受信部１１は、ＭＡＰプロファイルやＢＩＰプロファイルを用いて、携帯通信端末機２から更新情報を受信する。
【００１４】
解析部１２は、更新情報として受信した電子メール形式のテキストデータを解析し、地図情報データベース１５にこの更新情報のデータを格納する。
【００１５】
表示部１３は、タッチパネルディスプレイを含み、ＧＰＳ情報受信装置から取得される自己の位置情報に基づき、現在位置を地図上に表示したり、また各種設定ボタンの押下を検知したりする。検索部１４は、使用者により設定された目的地の位置情報を地図情報データベース１５から取得し、現在位置の位置情報と、目的地の位置情報とに基づき、現在位置から目的地までのルートを検索する。
【００１６】
携帯通信端末機２は、送信部２１、撮像部２２、メール作成部２３、受信部２４を有する。送信部２１は、Ｂｌｕｅｔｏｏｔｈの規格に則った通信制御装置、また公衆回線で通信可能な装置を含むものであり、使用者が作成した更新情報に関するメール文をカーナビゲーションシステム１、データサーバ３に送信する。メール文は、カーナビゲーションシステム１へはＢｌｕｅｔｏｏｔｈのＭＡＰプロファイルを用いて送信され、データサーバ３へは、基地局を介し、公衆回線を用いて送信される。
【００１７】
撮像部２２は、携帯通信端末機２の撮像素子やレンズ、ＧＰＳ情報受信装置を含むものである。撮像部２２は、使用者の所定操作により、レンズを通して外景を撮像素子に結像させて電子化し、画像データにする。また撮像部２２は、ＧＰＳ情報受信装置により得られた位置情報を画像データに付加する。位置情報は、Ｅｘｉｆ情報（Ｅｘｉｆ：Exchangeable image file format）の一つとして、画像データに付加される。
【００１８】
メール作成部２３は、更新情報の作成を支援するため機能部である。メール作成部２３は、更新情報として必要な項目をディスプレイ上に表示する。本実施形態では、この表示に電子メール文の編集用エディタが用いられる。このエディタを用いて使用者が必要なデータを入力することで、更新情報が作成される。作成された更新情報は、電子メール形式のテキストデータとなる。
【００１９】
受信部２４は、公衆回線を介してデータサーバ３から更新情報を受信する。また携帯通信端末機２Ａで作成された更新情報も受信可能である。公衆回線を介して送受信される更新情報は、日常的に使用されている電子メール形式となっている。
【００２０】
データサーバ３は、受信部３１、解析部３２、操作部３３、送信部３４を有する。受信部３１は、公衆回線からＩＰ網に切り替えるモデムを含むハードウェア構成であり、携帯通信端末機２から送信される更新情報を受信する。解析部３２は、更新情報（電子メール）を解析し、必要な項目のデータを抽出する。操作部３３は、地図情報データベース３５に対し、解析部３２により抽出されたデータを、登録、更新するためのクエリを作成し、地図情報データベース３５に発行する。また操作部３３は、必要に応じて削除用のクエリを作成し、地図情報データベース３５に発行する。送信部３４は、地図情報データベース３５に登録されている情報を取得し、更新情報（電子メール）として携帯通信端末機２に送信する。地図情報データベース３５からの情報取得は、操作部３３の検索操作によって行われる。
【００２１】
図４は、ＭＡＰプロファイルのデータフォーマットの一例を示す図であり、送信メッセージのタイプを電子メール形式（ＴＹＰＥ：ＥＭＡIＬ）とした場合の例である。ＭＡＰプロファイルは、図４に示すように定められたヘッダやフッダとともに、「ＢＥＧＩＮ：ＭＳＧ」タグから「ＥＮＤ：ＭＳＧ」タグの間に、「Ｓｕｂｊｅｃｔ」、「Ｆｒｏｍ」、「Ｔｏ」やメール本文等の電子メール形式のデータ項目を付加して送受信することができる。図４の例は短文のテキストデータのみを送信する例であるが、画像データも送受信可能となる。画像データが大きい場合は、分割して送受信される。
【００２２】
図５は、ＢＩＰプロファイルの送受信データの項目を示す図である。ＢＩＰプロファイル内のデータには、少なくとも画像名や画像の概要（作成日時、ＪＰＥＧ，ＧＩＦ等のエンコーディング形式や画素数）、画像本体の各情報を含み、これらが１つのデータとして構成され、送受信される。また、画像本体のサイズが大きい場合は、指定したサイズで分割して送受信することも可能である。以下では、主にＭＡＰプロファイルを用いた説明であるが、画像の送受信に関してはＢＩＰプロファイルが用いられてもよい。
【００２３】
ここで、更新情報の一部の例を図６に示す。更新情報は、登録する施設の位置情報であるＧＰＳ情報、施設の名称を少なくとも含んでいる。また図６に示すように、当該更新情報の識別情報である位置情報ＩＤや付属情報を含んでもよい。本例では、施設に駐車場があるか否かの情報（駐車場）、他使用者からの施設に関しての意見（クチコミ情報）、施設の広告の情報が付属情報として送受信される。更新情報は、図６に示す各情報に加え、携帯通信端末機２の撮像部２２で撮像される画像データを含み、画像データも合わせて送受信される。尚、ＧＰＳ情報は画像データのＥｘｉｆ情報から取得され、また位置情報ＩＤは、カーナビゲーションシステム１やデータサーバ３が自己の地図情報データベースに登録する際に付与してもよい。
【００２４】
図７は、携帯通信端末機２から更新情報が送信され、カーナビゲーションシステム１で登録されるまでの処理例を示すフローチャートである。この例での更新情報は、携帯通信端末機２から作成されるものとして説明するが、データサーバ３から携帯通信端末機２Ａから携帯通信端末機２に送信されたものでもよい。
【００２５】
まず、携帯通信端末機２とカーナビゲーションシステムとの間で、ＢｌｕｅｔｏｏｔｈのＭＡＰプロファイルでコネクションが確立される（Ｓ１０１）。ステップＳ１０１の動作について説明する。携帯通信端末機２の送信部２１は、周辺にあるＢｌｕｅｔｏｏｔｈ機器の探索を行い、カーナビゲーションシステム１を検出する。送信部２１は、カーナビゲーションシステム１とパスキーの交換処理を行い、コネクションを確立させる。
【００２６】
撮像部２２は、登録する施設を撮像し、メール作成部２３は、図６に示す各情報の入力を使用者より受け付け、この入力データと撮像された画像データとで更新情報を作成する（Ｓ１０２）。尚、Ｓ１０１とＳ１０２の順序は逆転してもよく、データサーバ３や携帯通信端末機２Ａから更新情報を得ている場合は、ステップＳ１０２は省略される。
【００２７】
携帯通信端末機２の送信部２１は、更新情報をカーナビゲーションシステム１に送信する（Ｓ１０３）。ここでの送信は、図４に例示したＭＡＰプロファイルのフォーマットに則り、電子メールの形式で送信される。カーナビゲーションシステム１の送受信部１１は更新情報を受信し（Ｓ１０４）、解析部１２は、地図情報データベース１５に更新情報を新規に登録し、または地図情報データベース１５内の位置情報を更新する（Ｓ１０５）。ステップＳ１０５について説明する。カーナビゲーションシステム１の解析部１２は、受信した更新情報を解析し、登録するデータの項目を抽出し、画像データを抽出する。位置情報は、画像データのＥｘｉｆ情報より取得される。尚、地図情報データベース１５への登録、更新は、本実施形態では解析部１２が行うものとするが、検索部１４が登録、更新、削除、検索の各操作全般を担う実装でもよい。尚、更新処理は、新規に受信した更新情報内の位置情報を用いて地図情報データベース１５に対する検索を行い、該当するレコードがある場合、当該レコードを更新する処理となる。
【００２８】
図８は、更新情報が携帯通信端末機２から送信され、データサーバ３に登録、更新されるまでの処理例を示すフローチャートである。携帯通信端末機２のメール作成部２３は、ステップＳ１０２と同様の処理により更新情報を作成し（Ｓ２０１）、送信部２１は、公衆回線を介して更新情報をデータサーバ３へアップロードする（Ｓ２０２）。ここでの送信は、通常の電子メールと同様である。データサーバ３の受信部３１は、更新情報を受信し、解析部３２によるデータ抽出後、操作部３３は地図情報データベース３５に更新情報を格納する（Ｓ２０３）。ステップＳ２０３の処理について説明する。解析部３２は、更新情報を解析し、登録に必要な項目を抽出する。また解析部３３は、送信された画像データを取得する。操作部３３は、抽出された項目ごとに、得られた値（更新情報内のデータ）を地図情報データベース３５に格納する。操作部３３は、画像データも地図情報データベース３５に格納する。尚、画像データはファイルとして補助記憶装置に格納されてもよい。
【００２９】
図９は、Ｂｌｕｅｔｏｏｔｈでの接続を、他のデバイスとする場合の態様を示した図である。図９（Ａ）は、車両それぞれに搭載されたカーナビゲーションシステム同士のデータ送受信の様を示す図である。カーナビゲーションシステム１Ａは、カーナビゲーションシステム１と同等の構成を有する。互いの車両が停車しており、Ｂｌｕｅｔｏｏｔｈ通信が可能な程度に近接している場合、カーナビゲーションシステム１、１Ａのそれぞれの送受信部１１は、ＢｌｕｅｔｏｏｔｈのＭＡＰプロファイル、もしくはＢＩＰプロファイルでデータ交換を行う。上記更新情報のみならず、それぞれが保持している渋滞情報や交通障害情報、交通規制情報なども交換されてもよい。尚、この場合のカーナビゲーションシステムは、Ｂｌｕｔｏｏｔｈのコネクションを確立させるため、デバイスの探索機能を有し、またＰＩＮコードを互いに知り得る機構（一例としては、ＰＩＮコードを事前に定義付け、同じＰＩＮコードを実装する、等）が必要となる。
【００３０】
図９（Ｂ）は、カーナビゲーションシステムと、ガソリンスタンドやコンビニエンスストア等の施設に配置されたデータサーバとで、Ｂｌｕｅｔｏｏｔｈを介してデータ送受信を行う場合の例である。データサーバ３Ａの送信部は、Ｂｌｕｅｔｏｏｔｈ（ＭＡＰプロファイル）での通信が可能な通信制御装置を含むものとする。またデータサーバ３Ａには、設置されている地域に特化した情報が登録されており、探索機能によりカーナビゲーションシステム１を検出した場合、ＢｌｕｅｔｏｏｔｈのＭＡＰプロファイルでコネクションを確立する。この探索や装置検出は、カーナビゲーションシステム１が行ってもよい。図９（Ｂ）の例も、ＰＩＮコードを互いに知り得る機構が必要となる。図９（Ｂ）の態様も、コネクション確立後は更新情報の送受信が行われ、地図情報データベースの登録、更新が行われる。
【００３１】
ここまでは、カーナビゲーションシステムやデータサーバへ更新情報が送信され、登録、更新されるまでの動作について説明したが、カーナビゲーションシステム１は、更新情報で得られる場所を目的地として設定することができる。以下、この目的地設定時の動作について説明する。
【００３２】
図１０に、目的地設定時にカーナビゲーションシステム１と携帯通信端末機２との間で送受信されるデータ項目を示す。目的地設定時には、目的地の位置情報（ＧＰＳ情報）とともに、画像表示設定フラグ、目的地設定フラグ(要：１、否：０)の各フラグデータが、ＭＡＰプロファイルを介して送受信される。また図１０に示す例では、付属情報として施設の種別も送受信されるが、例えば図６で説明した付属情報も合わせて付加されてもよい。目的地設定の際も、画像データが添付される。
【００３３】
目的地設定時のカーナビゲーションシステム１と携帯通信端末機２との間での動作について、図１１を参照しつつ説明する。また本例は、車外の通信端末機１Ａから目的地設定用データを電子メールで受信した後の動作例について説明するが、データの入手は、自己のメール機能を用いて作成してもよく、データサーバ３から受信してもよい。
【００３４】
まず、カーナビゲーションシステム１と通信端末機１との間で、ＭＡＰプロファイルによるコネクションが確立される（Ｓ３０１）。ステップＳ３０１は、図７のステップＳ１０１と同様処理である。通信端末機１は、車外の通信端末機１Ａから、公衆回線を介して必要項目がメール文に記載され、画像が添付された電子メールを受信する（Ｓ３０２）。通信端末機１は、使用者の操作により、受信したメールをカーナビゲーションシステム１へ送信する（Ｓ３０３）。この際、図１０に示す画面表示設定フラグ、目的地設定フラグも合わせて送信される。画面表示設定フラグ、目的地設定フラグは、本実施形態ではメール送信用のエディタに、画面表示設定、目的地設定の項目を設けて表示し、使用者が０または１の値を入力することで設定される。尚、フラグの設定については、これ以外にも例えば画面表示設定用、目的地設定用としてチェックボックスが設けられている専用画面を用い、使用者が該当項目に印を付ける等、さまざまな実装が考えられる。
【００３５】
カーナビゲーションシステム１は、ＭＡＰプロファイルを用いて電子メール形式のテキストデータを取得し（Ｓ３０４）、添付画像データの位置情報、メール文を解析して目的地の設定を行う（Ｓ３０５）。
【００３６】
ステップＳ３０５の動作について、図１２を用いてさらに詳説する。カーナビゲーションシステム１の解析部１２は、送信された画像データを取得する。また、解析部１２は、受信した画像データ内にＥｘｉｆ情報があり、位置情報が含まれているかを判定する（Ｓ４０１）。位置情報が無い場合（Ｓ４０１、Ｎｏ）、処理は終了する。位置情報がある場合（Ｓ４０１、Ｙｅｓ）、メール本文内に目的地設定の項目があり、所定値（本例では１）が指定されているかを判定する（Ｓ４０２）。所定値が指定されている場合（Ｓ４０２、Ｙｅｓ）、解析部１２は、得られた位置情報で示される場所を目的地に設定する（Ｓ４０３）。
【００３７】
解析部１２は、次にメール本文に画像表示設定の項目があり、所定値（本例では１）が指定されているかを判定する（Ｓ４０４）。所定値が指定されている場合（Ｓ４０４、Ｙｅｓ）、表示部１３は、受信した画像（添付画像）をタッチパネルディスプレイに表示する（Ｓ４０５）。解析部１２は、メール本文に付属情報があるかを判定し（Ｓ４０６）、付属情報がある場合（Ｓ４０６、Ｙｅｓ）、表示部１３は、付属情報として付加されているテキストデータをタッチパネルディスプレイに表示する（Ｓ４０７）。
【００３８】
図１３は、この目的地設定処理の態様例を示した図である。携帯通信端末機２とカーナビゲーションシステム１とは、近距離無線通信の規格の一つであるＢｌｕｅｔｏｏｔｈで接続されており、デバイス間で、電子メール形式で送受信するためのプロトコルであるＭＡＰプロファイルでコネクションが確立されている。携帯通信端末機２は、ＭＡＰプロファイルを用いて画像データを送信する。
【００３９】
また画像データ内のＥｘｉｆ情報には、画像データが得られた（撮像された）場所を示す位置情報が含まれている。画像データは、電子メール形式の添付データとしてカーナビゲーションシステム１に送信され、その他のテキストデータも電子メール形式でカーナビゲーションシステム１に送信される。本例では、Ｓｕｂｊｅｃｔ欄に施設名称が記載されており、メール本文には、制御用の各フラグデータとともに、施設の種別、駐車場有無、クチコミ情報等の付属情報が記載されている。
【００４０】
カーナビゲーションシステム１は、携帯通信端末機２からの電子メール形式のテキストデータ、および画像データをＭＡＰプロファイルで受信する。カーナビゲーションシステム１は、画像表示設定フラグに値が設定されている場合は、タッチパネルディスプレイの領域Ａに受信した画像データを表示する。また、カーナビゲーションシステム１は、画像データに含まれる位置情報に基づき、場所に関する情報を表示する。図１３の例では、地図上に当該場所を示す印（本例では星印）が表示され、また当該場所を示す住所が領域Ｂに表示される。カーナビゲーション１の地図情報データベース１５には、位置情報と住所情報とが対応付けられており、カーナビゲーション１は、この対応関係に基づき、位置情報から住所情報を取得して表示する。カーナビゲーションシステム１は、メール本文に含まれている付属情報も、領域Ｂに表示する。またカーナビゲーションシステム１は、目的地設定フラグが設定されている場合、得られた位置情報の場所を目的地に設定する。
【００４１】
携帯通信端末機２は、このような電子メール形式の画像データ、テキストデータを、更新情報としてデータサーバ３から取得してもよいし、他の携帯通信端末機２Ａから取得してもよい。この場合、更新情報は、公衆回線を用いた電子メールとして取得される。
【００４２】
また携帯通信端末機２は、自らで更新情報を作成することが可能である。この場合、携帯通信端末機２の撮像部２２は、施設等を含んだ外景を撮像し、ＧＰＳ情報受信装置により得られるＧＰＳ情報（位置情報）を付加した画像データを作成する。メール作成部２３は、「種別」「駐車場」等の必要な項目が予め記載されているテキストデータを、携帯通信端末機２のディスプレイに表示する。本実施形態では、この表示にメール送信用のエディタが採用される。使用者は、このテキストデータの項目名を頼りに付属情報をキーボードで入力する。またメール作成部２３は、撮像部２２によって撮像された画像データが添付されるようにする。
【００４３】
携帯通信端末機２の送信部２１は、他のデバイスであるカーナビゲーションシステム１とＭＡＰプロファイルでセッションを確立させ、撮像部２１により生成される画像データ、およびテキストデータを、電子メール形式で送信する。また携帯通信端末機２は、公衆回線を介して電子メールとしてデータサーバ３に更新情報を送信してもよく、データサーバ３は、受信した更新情報で地図情報データベース３５を更新、もしくは新規登録する。
【００４４】
（他の実施例）
ここまでは、地図情報の更新や目的地設定等、カーナビゲーションシステムに対する操作や制御について説明したが、図１４、図１５を参照しつつ、その他のデバイスと通信し、表示内容を制御する態様について説明する。
【００４５】
図１４に示す電子看板５１は、Ｂｌｕｅｔｏｏｔｈで通信可能な装置であり、またＭＡＰプロファイルが実装された通信装置を含んでいる。携帯通信端末機２は、ＭＡＰプロファイルで電子看板５１とコネクションを確立し、電子メール形式で、テキストデータ、画像データを送信する。電子看板５１は、表示用ディスプレイの領域Ｃに、得られた画像データを表示する。また電子看板５１は、得られたテキストデータを領域Ｄに表示する。電子看板５１は、図１４の例のようにＳｕｂｊｅｃｔ欄に記載されたテキストを、メール本文内のテキストよりもフォントサイズが大きくなるように強調表示してもよい。また領域Ｄが狭い場合、電子看板１１は、テキストデータをスクロール表示してもよい。
【００４６】
図１５は、テレビジョンに対して録画予約を行う場合の操作例を示している。図１５に示すテレビジョン５２は、ＢｌｕｅｔｏｏｔｈのＭＡＰプロファイルで通信可能な装置を含んでいる。携帯通信端末機２は、ＭＡＰプロファイルでテレビジョン５２とコネクションを確立し、電子メール形式で、テキストデータ、画像データを送信する。
【００４７】
テレビジョン５２は、ディスプレイの領域Ｅに、得られた画像データを表示する。またテレビジョン５２は、得られたテキストデータを領域Ｆに表示するとともに、記載されている値で録画予約が行われるように設定する。テレビジョン５２は、従前のパターンマッチング（テンプレートマッチング）技術を用いて、テキストデータ内に指定された期間、指定されたチャンネルで、得られた画像データと類似度が高い映像が流れた際に録画を開始する。
【００４８】
上記以外にも、データの送信先のデバイスは、例えばプリンタやパーソナルコンピュータ等、ディスプレイを有し、ＢｌｕｅｔｏｏｔｈのＭＡＰプロファイルが実装された装置であれば、如何なるデバイスであってもよい。
【００４９】
また上記では、ＭＡＰプロファイルを用いた通信の送信元の装置を、携帯電話機やスマートフォン等の携帯通信端末機であるものとして説明したが、同様機能を有するデジタルカメラであってもよい。
【００５０】
以上、この実施形態で説明した態様により、ＢｌｕｅｔｏｏｔｈのＭＡＰプロファイルを用いることで、使用者が日常的に行っている電子メール形式でデータの送受信が可能となる。よって、日常的に行っているメール送受信の操作を画像データの送信時に適用させることができ、操作性が向上する。画像データを受信したデバイス側は、テキストデータ以外にも画像データを得ることができ、より詳細な情報を表示できる。
【００５１】
なお、本発明の実施形態を説明したが、当該実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５２】
１、１Ａ  カーナビゲーションシステム、２、２Ａ  携帯通信端末機、３、３Ａ  データサーバ、１１  送受信部、１２  解析部、１３  表示部、１４  検索部、１５  地図情報データベース、２１  送信部、２２  撮像部、２３  メール作成部、２４  受信部、３１  受信部、３２  解析部、３３  操作部、３４  送信部、３５  地図情報データベース、５１  電子看板、５２  テレビジョン、１００  地図情報更新システム。
【図２】
2013206207.tif 000003
【図３】
2013206207.tif 000004
【図４】
2013206207.tif 000005
【図５】
2013206207.tif 000006
【図６】
2013206207.tif 000007
【図７】
2013206207.tif 000008
【図８】
2013206207.tif 000009
【図９】
2013206207.tif 000010
【図１０】
2013206207.tif 000011
【図１１】
2013206207.tif 000012
【図１２】
2013206207.tif 000013
【図１】
2013206207.tif 000014
【図１３】
2013206207.tif 000015
【図１４】
2013206207.tif 000016
【図１５】
2013206207.tif 000017